(57)【要約】【課題】収納容積へ影響を可及的に小さくすると共に、非健常者にとって使い易いラッチ解除機構を有する家具を提供する。【解決手段】キャビネット等の家具の抽斗前面板等の扉１２の前側に設けられた取手２０は前後方向に取手の全体が平行移動し、該取手の動きに応じて前後方向に動くと共に扉面に平行な方向に延伸しており、更に扉面の後側に設けられた棒部材２４を有し、少なくとも該棒部材の一端側に、扉面に平行な方向の軸２６Ｊを枢軸として回動可能な扉側係合部２６と筐体側に設けられた筐体側係合部との間で係脱可能なラッチが設けられており、取手が前方に動くことにより前記棒部材の端部又はその連続部２４Ａが前記枢軸又はその連続部２６ＪＡに係合してラッチを解除させるよう構成する。【選択図】        図１
2004255124.tif 000002
【特許請求の範囲】
【請求項１】
キャビネット等の家具の抽斗前面板等の扉の前側に設けられた取手は前後方向に取手の全体が平行移動し、該取手の動きに応じて前後方向に動くと共に扉面に平行な方向に延伸しており、更に扉面の後側に設けられた棒部材を有し、少なくとも該棒部材の一端側に、扉面に平行な方向の軸を枢軸として回動可能な扉側係合部と筐体側に設けられた筐体側係合部との間で係脱可能なラッチが設けられており、取手が前方に動くことにより前記棒部材の端部又はその連続部が前記枢軸又はその連続部に係合してラッチを解除させることを特徴とする家具。
【請求項２】
前記取手は扉面との間に人の手が入る隙間を形成するように設けられている請求項１記載の家具。
【発明の詳細な説明】
【０００１】
【発明の属する技術分野】
本発明は、扉を開く際のラッチの解除動作に特徴を有する、キャビネット等のオフィス用家具や家庭用家具に関する。本発明の扉とは、狭い意味の扉の他、抽斗の前面板をも含む。従って、扉を開くとは、抽斗を引き出すことも含まれる。
【０００２】
【従来の技術】
従来から、抽斗や狭義の扉を締めた後に、これらが不用意に開放されないように、所謂、ラッチの設けられた家具がある。こうした家具の扉には、ラッチ機構に連動した取手が設けてあり、扉を開放させる場合に、通常、取手に指先を掛けて把持することによりラッチ機構を解除させて扉を開放させることが行われる。また、下記特許文献１には取手を引くとラッチの解除される構造が開示されている。これには、取手を引いても、傾斜して一端側のみが引き出される構造や、取手が平行に引かれる場合では、扉の内側ラッチ解除機構が扉面に対して交差する方向に動く構造や、長孔をガイドとするラッチ部材を使用した構造が開示されている。
【特許文献１】
特開平９−７２１４２号公報
【０００３】
【発明が解決しようとする課題】
然しながら、取手を把持してラッチを解除するのは、健常者にとっては問題無いが、指の不自由な者にとっては使用できないことになる。上記特許文献１の最初の構造では、引く動作方向に対して実際の取手の動きが異なる方向となる動きのため、特に非健常者によっては不安定となることがある。また、後者２つの構造では、扉裏側の機構が、扉の厚さ方向に厚い寸法を必要とし、家具の収納容積に悪影響を与える。
依って本発明は、収納容積へ影響を可及的に小さくすると共に、非健常者にとって使い易いラッチ解除機構を有する家具の提供を目的とする。
特に指の動きに支障のある非健常者に適したラッチ解除機構を有する家具の提供を目的とする。
【０００４】
【課題を解決するための手段】
上記目的に鑑みて本発明の請求項１では、キャビネット等の家具の抽斗前面板等の扉の前側に設けられた取手は前後方向に取手の全体が平行移動し、該取手の動きに応じて前後方向に動くと共に扉面に平行な方向に延伸しており、更に扉面の後側に設けられた棒部材を有し、少なくとも該棒部材の一端側に、扉面に平行な方向の軸を枢軸として回動可能な扉側係合部と筐体側に設けられた筐体側係合部との間で係脱可能なラッチが設けられており、取手が前方に動くことにより前記棒部材の端部又はその連続部が前記枢軸又はその連続部に係合してラッチを解除させることを特徴とする家具を提供する。
【０００５】
取手の平行移動によりラッチを解除させるので、指の不自由な非健常者にとっても取手の任意の位置に引っ掛けるだけで操作でき、解除操作が容易である。また、取手全体が扉に対して平行移動するため、解除操作の不安定さを防止できる。更には、扉面に平行な方向に延伸する棒部材は前後方向に動くので、常に扉面に平行状態である。従って、ラッチ解除機構部材の動きの収納容積への影響は小さい。また、扉側係合部は棒部材の一端側に位置しており、枢軸回りの回動は端部側で行われるため、この回動による収納容積への影響も小さい。
【０００６】
請求項２では、前記取手は扉面との間に人の手が入る隙間を形成するように設けられている請求項１記載の家具を提供する。
指に力を入れられず、取手に指を掛けて引くことさえできない場合でも、扉面との間に手が入ると、腕を引く単純な操作だけでラッチを解除できる。
【０００７】
【発明の実施の形態】
以下、本発明を添付図面に示す実施形態例に基づき、更に詳細に説明する。
図１は本発明に係る家具の例として、ファイルキャビネットの１個の抽斗１０の分解斜視図である。図２はその抽斗１０の縦断面による側面図であり、ハッチングは省略している。図３は抽斗を引き出そうとしている状態の図２に対応する図である。本願の扉に相当する抽斗の前面板１２の上方部には、該前面板に直交する前後方向に貫通したブッシュ２３が左右に設けられており、この中に軸２２が挿入されている。この軸の前端には左右方向に延伸した取手２０が装着されている。左右の軸２２は前面板の裏面側に配設されたコイルスプリング３０を挿通している。
【０００８】
一方、各軸２２の後端部には、前面板と平行であって左右方向に延伸した棒部材２４が固定されている。該棒部材は、抽斗の前面板の裏面側に設けられている裏板１４に固定された受部材２８に載置されており、該受部材には、棒部材の上下方向の移動を規制し、前後方向に移動できるように長孔が形成されている。こうして棒部材２４は２本の軸２２を介して取手２０と連結されており、棒部材が長孔内を最も後退した位置において、前記コイルスプリング３０は付勢力の作用しない自由長さの状態である。この状態において取手２０は前面板１２との間に隙間Ｂを形成している。この隙間寸法Ｂは、人の手が入る大きさが好ましい。指の不自由な非健常者が使用する場合に便利だからである。
【０００９】
抽斗１０は、ファイルを収納するために左右に側板１６が設けられており、前記棒部材２４の左右両端部は、上方位置からこの側板の上縁よりも下方まで延伸した折曲部２４Ａを形成している。一方、該折曲部の更に下方には、扉側係合部としての抽斗側係合部２６が、前面軸に平行な上下方向に延伸した枢軸２６Ｊの回りに回動可能に抽斗側に設けられている。この抽斗側係合部２６はコイルスプリング２７によって常に外側方向に付勢されており、収納状態では図示しない筐体側係合部に係合している。枢軸２６Ｊの上端部は概ね直交方向に折り曲げられ、短い折曲係合部２６ＪＡが形成されている。
【００１０】
図３に示すように、コイルスプリング３０の付勢力に抗して取手２０を手前側に引くと、棒部材２４は同じ手前側に移動し、その折曲部２４Ａが折曲係合部２６ＪＡに当接係合して、コイルスプリング２７の付勢力に抗して抽斗側係合部２６が図示しない筐体側係合部から離れ、ラッチが解除される。従って、取手を引いた利用者は、そのまま同方向に更に引く操作だけで抽斗１０を図示しない筐体から引き出すことができる。
【００１１】
収納時には、取手か前面板を押すだけで抽斗を収納でき、更には、折曲部２４Ａが元の位置に戻ることにより、コイルスプリング２７の付勢力によって折曲係合部２６ＪＡも元の位置に戻り、再び抽斗側係合部２６が図示しない筐体側係合部に係合できる。
このように、前面板の裏面側の棒部材２４は該前面板に平行に移動するのみであり、また、枢軸２６Ｊの折曲係合部２６ＪＡは、棒部材の端部やその折曲部２４Ａと係合できる範囲の短い長さでよいため、こうしたラッチ解除機構を、前面板と裏板との薄い空間領域内に収めることができる。
【００１２】
上記形態例と異なり、折曲部２４Ａが無くて枢軸２６Ｊが更に上方まで長く延伸しており、この上端部に棒部材の端部が係合できる構造でもよい。また、抽斗側係合部２６と図示しない筐体側係合部とが棒部材２４と同じ高さ位置にあれば、枢軸２６Ｊは抽斗側係合部２６の上下方向幅から突出していなくてもよいが、この形態例のように、引出し１０の側板１６の上縁よりも下側に位置していれば、ファイルの収納時に邪魔にならないで済み、また、美観上もよいという利点がある。また逆に、抽斗側係合部２６が（前面板の下方位置に設けた）棒部材２４よりも高い位置にあれば、折曲部２４Ａを設ける場合は上方に延伸させ、また、枢軸２６Ｊを突出させる場合は、抽斗側係合部２６の上下方向幅の下方側に突出延伸させる。
【００１３】
また、取手は直線状でなくてもよく、曲線形状であってもよい。更には、本発明はこのファイルキャビネットのように抽斗を有する事務用家具に限らず、所謂、観音扉のような扉を有する家具にも適用できる。また、家庭用の抽斗を有する家具や観音扉式の家具にも適用できる。
夫々の所で述べた変形形態は、互いに矛盾の無い限り、他の形態においても適用できる。
【００１４】
【発明の効果】
以上の説明から明らかなように本発明によれば、収納容積へ影響を可及的に小さくすると共に、非健常者にとって使い易いラッチ解除機構を有する家具の提供が可能となる。
【図面の簡単な説明】
【図１】図１は本発明に係る家具の例としてのファイルキャビネットの抽斗分解斜視図である。
【図２】図２は図１の抽斗の縦断面による側面図である。
【図３】図３は図２とは異なる状態の側面図である。
【符号の説明】
２０                    取手
２４                    棒部材
２４Ａ                  折曲部
２６                    扉側係合部
２６Ｊ                  枢軸
２６ＪＡ                折曲係合部
【図１】
2004255124.tif 000003
【図２】
2004255124.tif 000004
【図３】
2004255124.tif 000005